(57)【要約】【課題】ゼブラパターンの表示色を有彩色として、ゼブラパターン表示の視認性を更に向上させることを目的とする。【解決手段】画像処理装置であって、被写体を撮影して画像を生成する撮影手段と、前記撮影手段により生成された前記画像を表示する表示手段と、前記画像の輝度レベルを判定する判定手段と、前記判定手段による判定結果に応じて、前記表示手段に、該表示手段が表示する画像に有彩色のパターンを重畳表示させる表示制御手段とを備えることを特徴とする。【選択図】図２
2009130464.tif 000002
【特許請求の範囲】
【請求項１】
被写体を撮影して画像を生成する撮影手段と、
前記撮影手段により生成された前記画像を表示する表示手段と、
前記画像の輝度レベルを判定する判定手段と、
前記判定手段による判定結果に応じて、前記表示手段に、該表示手段が表示する画像に有彩色のパターンを重畳表示させる表示制御手段と
を備えることを特徴とする画像処理装置。
【請求項２】
撮影者からの操作を受けつける操作受付手段をさらに備え、
前記操作受付手段を介して前記パターンの表示色の切替指示を受け付けた場合に、前記表示制御手段は、該切替指示に応じて該パターンの表示色を切り替える
ことを特徴とする請求項１に記載の画像処理装置。
【請求項３】
前記判定手段は、前記画像の輝度レベルの大きさを判定し、
前記表示制御手段は、前記判定手段により判定された前記輝度レベルの大きさに対応して予め定められた表示色により、前記表示手段に前記パターンを重畳表示させることを特徴とする請求項１又は２に記載の画像処理装置。
【請求項４】
前記判定手段は、前記輝度レベルの大きさを、複数の閾値と前記画像の輝度レベルとの比較に基づいて判定し、前記パターンの表示色は、前記複数の閾値のそれぞれについて定められており、
前記表示制御手段は、前記複数の閾値のうち前記輝度レベルの大きさを特定する閾値について定められた表示色により、前記表示手段に前記パターンを重畳表示させることを特徴とする請求項３に記載の画像処理装置。
【請求項５】
前記判定手段は、前記輝度レベルの大きさを、前記画像の輝度レベルが複数の輝度レベル範囲のいずれに属するかに基づいて判定し、前記パターンの表示色は、前記複数の輝度レベル範囲のそれぞれについて定められており、
前記表示制御手段は、前記複数の輝度レベル範囲のうち前記輝度レベルの大きさを特定する輝度レベル範囲について定められた表示色により、前記表示手段に前記パターンを重畳表示させることを特徴とする請求項３に記載の画像処理装置。
【請求項６】
前記表示制御手段は、前記表示手段に前記有彩色のパターンの重畳表示を行わせる場合に、前記画像を無彩色表示させることを特徴とする請求項１乃至５のいずれか１項に記載の画像処理装置。
【請求項７】
画像処理装置の制御方法であって、
撮影手段が、被写体を撮影して画像を生成する撮像工程と、
表示手段が、前記撮影手段により生成された前記画像を表示する表示工程と、
判定手段が、前記画像の輝度レベルを判定する判定工程と、
表示制御手段が、前記判定工程におけるによる判定結果に応じて、前記表示手段に、該表示手段が表示する画像に有彩色のパターンを重畳表示させる表示制御工程と
を備えることを特徴とする方法。
【請求項８】
コンピュータを、請求項１乃至７のいずれか１項に記載の画像処理装置として機能させるためのコンピュータプログラム。
【発明の詳細な説明】
【技術分野】
【０００１】
本発明は、画像処理装置、画像処理装置の制御方法、及び、コンピュータプログラムに関する。
【背景技術】
【０００２】
従来から、特に業務用ビデオカメラなどにおいて、厳密な撮影条件を出さなければならない際などには、照度計を用いたり、撮影映像ライン出力などを波形モニタに接続したりして、露出レベルを観測、管理することがある。一方、手軽には、設定輝度レベルに連動して、電子ビューファインダ上に撮影映像に重畳表示されるゼブラパターン信号と称される斜め線が、被写体映像に対して表示される度合いを頼りに、露出調整が行われている。
【０００３】
即ち、撮影映像の任意の場所、例えば人物の顔部分の露出が適正となるようにゼブラパターンの表示状態をリアルタイムに撮影映像と共に表示画面上で、撮影者が確認しながら絞りを調整している。
【０００４】
民生用デジタルビデオカメラなどの撮像装置においても、自動露出調整による撮影だけではなく、マニュアルによる露出調整機能を備えるものもある。
係る装置では、被写体の明るさを検出して、電子ビューファインダや液晶表示パネル上などに、予め設定した輝度レベル閾値や輝度レベル範囲に連動してゼブラパターンを撮影映像に重ねて表示する。そして、撮影者は当該被写体に対する適正な露出レベル（絞り）を、表示画面（電子ビューファインダ等）を目視確認しながら調整することができる。
【０００５】
一般的にゼブラパターン表示は、映像信号の振幅を表す単位として使われているＩＲＥ（Institute of Radio Engineers）により、輝度レベルの閾値や、所定の輝度レベルの範囲を設定する事が多い。ここで、ＩＲＥは米国の無線技術者協会（現在のIEEE）が定めた規格が転じて単位名として慣用されているものであり、輝度レベルで考えるとペデスタルレベル（黒）が０ ＩＲＥ（但し、７．５ ＩＲＥを黒とする場合もある。）、白１００ ％が１００ＩＲＥとなる。
【０００６】
マニュアル露出調整では、撮影映像信号の輝度レベルにおいて７０ＩＲＥ〜１００ＩＲＥ程度に対して、任意の輝度レベル閾値や、輝度レベル範囲を設けている。そして、撮影映像信号レベルが予め設定した閾値を越えた部分に対してゼブラパターンを重畳表示したり、予め設定した輝度範囲内に対してゼブラパターンを重畳表示したりしている。
【０００７】
こうした中、ゼブラパターン視認性の改善等のために、以下のような提案が見られる。
特許文献１では、輝度信号の特定のレベルに対応して縞模様が表示されるビューファインダを有するビデオカメラにおいて、縞模様の幅を上記輝度信号のレベルに応じて変化するように制御する技術が提案されている。
【０００８】
また、特許文献２では、デジタルビデオカメラ装置において、複数の範囲の輝度成分レベルを設定可能で、選択された所定のレベル範囲内の輝度成分と撮影映像信号の輝度成分とを比較する。そして比較結果に応じて、設定レベル範囲に対応する部分に所定のマークを挿入、表示するものが提案されている。
【０００９】
一方、古くは、業務用の大型カメラなどでは液晶に比べて精細度の高い表示が可能であった白黒ＣＲＴを用いていた背景もあってか、ゼブラパターン表示そのものはカラービューファインダ等を用いたカメラにおいても白黒の無彩色表示であった。
【特許文献１】特開平６−１０５２２０号公報
【特許文献２】特開平１１−３１３２４４号公報
【発明の開示】
【発明が解決しようとする課題】
【００１０】
こうした背景の下、ゼブラパターン表示にも更なる視認性の向上や、ゼブラパターン表示を行う設定レベル閾値や表示設定レベル範囲の簡便な把握、ひいてはゼブラパターン表示を用いた露出調整の操作性向上が求められている。
【００１１】
しかし、ゼブラパターンの表示パターンや、ゼブラパターンの替わりに所定のマークを表示するといった技術はあるものの、ゼブラパターンの表示色に関する提案はなされていない。従って、現状は、ビューファインダを始めとしたカラー化が実現している中、ゼブラパターンの表示色による上記課題への有効な解決策が存在しない。
【００１２】
そこで、本発明は、ゼブラパターンの表示色を有彩色として、ゼブラパターン表示の視認性を更に向上させることを目的とする。
【課題を解決するための手段】
【００１３】
上記課題を解決するための本発明は、画像処理装置であって、
被写体を撮影して画像を生成する撮影手段と、
前記撮影手段により生成された前記画像を表示する表示手段と、
前記画像の輝度レベルを判定する判定手段と、
前記判定手段による判定結果に応じて、前記表示手段に、該表示手段が表示する画像に有彩色のパターンを重畳表示させる表示制御手段と
を備えることを特徴とする。
【発明の効果】
【００１４】
本発明は、ゼブラパターンの表示色を有彩色として、ゼブラパターン表示の視認性を更に向上させることができる。
【発明を実施するための最良の形態】
【００１５】
以下、添付の図面を参照しながら本発明の好適な実施形態を説明する。
【００１６】
［第１の実施形態］
まず、発明の第１の実施形態を説明する。以下では、本発明の画像処理装置の一例として、書き込み可能なＤＶＤを記録媒体として用いるＤＶＤデジタルビデオカメラについて説明する。なお、記録媒体はＤＶＤに限らず、不揮発性の記録媒体であれば、ＢＤ（Blu-ray Disk）、やＳＤカード、フラッシュメモリ等を用いることができる。
【００１７】
図２は、本発明の実施形態に対応する画像処理装置としてのDVDデジタルビデオカメラのシステム構成の一例を示すブロック図である。
【００１８】
図２において、ＤＶＤデジタルビデオカメラのレンズ部２０１は、不図示の被写体を撮像するためのズーム機能及びフォーカス（ピント）調整機能を有するレンズ群およびレンズ機構である。ＣＣＤ（Charge Coupled Device）２０２は、レンズ部２０１で構成される光学系より入ってくる像を撮像する撮像素子である。静止画撮影機能のために電子シャッター機能を備える。
【００１９】
撮像素子駆動部２０３は、カメラ信号処理部２０６からのタイミングに従ってＣＣＤ２０２を駆動する。ＣＤＳ（Correlated Double Sampling）／ＡＧＣ（Auto Gain Controller）部２０４は、ＣＣＤ２０２からのアナログ信号をサンプリングして不要なノイズを除去する。また、システム制御部２１１からの制御により、信号レベルのゲインコントロールを行う。
【００２０】
Ａ／Ｄ（Analog to Digital）変換器２０５は、前段からのアナログ信号をデジタル信号に変換する。カメラ信号処理部２０６は、タイミング生成や、ＡＥ（Auto Exposure）制御やガンマ調整、ＡＦ（Auto Focus）制御など、システム制御部２１１と連携して、カメラ撮像系の制御を担う。露出制御は、ＡＥだけでなくマニュアル制御にも入力操作部２１３により切り替え可能であり、ここでは露出ダイヤル（不図示）を撮影者が回すことで、露出（絞り）調整を行うことが可能であるものとする。
【００２１】
カメラ信号処理用の汎用記憶部２０７は、カメラ画像の信号処理用のフレームメモリ等に使用される記憶部である。レンズ駆動部２０８は、レンズ部２０１を駆動して、ズーム倍率やフォーカス調整を行う。ＡＦ時には、フォーカス調整情報（評価値）をカメラ信号処理部で検出して、検出情報に基づくシステム制御部２１１からの制御信号によりレンズ駆動部２０８が駆動され、レンズ部２０１のフォーカス調整用レンズを制御してピント調整を行う。マニュアルフォーカス（ＭＦ）時には、入力操作部２１３に属する、一般的にはレンズの外周に設けられたフォーカスリングをユーザーが調整する。電子的な機構ではフォーカスリングの回転方向と回転量をシステム制御部２１１が検出し、検出情報によってレンズ駆動部２０８を駆動してレンズ部２０１を制御してピント調整を行う。機械的な機構では、フォーカスリングが機械的にレンズ部２０１と繋がっており、フォーカスリングをユーザーが回すことで機械的にレンズ部２０１が動かされピント調整が行われる。
【００２２】
ストロボ２０９は、静止画撮影時には露出制御と連動して、必要に応じて発光して被写体光量を補う。ストロボ発光に関しては、操作者の入力操作部２１３からの操作により、強制発光や、発光禁止、測光結果に従ったオートモードなどが選択可能である。マイク２１０は、撮像系を経て入ってきた画像と合わせて周囲の音を記録するために集音する。
【００２３】
システム制御部２１１は本発明の各制御手順を実行するための制御部であって、本ＤＶＤデジタルビデオカメラの制御に関る各種制御手順全般を実行する。システム制御用の汎用記憶部２１２は、本発明の各種制御手段を実現するためのプログラムおよびデータ等を納め、制御実行のために必要に応じて作業領域としても使用するROMやRAMを総称している。
【００２４】
入力操作部２１３は、各種操作キーや、タッチパネル等で構成される。また、不図示の、動画撮影スタート・ストップボタンや、各種選択ボタンや決定ボタン、静止画撮影用のシャッターボタン、ＭＦリング、ズームスイッチ、露出（アイリス）調整ダイヤルなどを含むものとする。ゼブラパターン表示の表示ＯＮ／ＯＦＦや、表示閾値または表示レベル範囲、表示色等の選択も、この入力操作部２１３の操作により可能となる。
【００２５】
外部記録媒体２１４は、ここではメモリカード（メモリカードスロット含む）とする。通常、このメモリカードに対して、静止画撮影時にはjpegファイルを保存する。外部記録媒体接続インタフェース機能は、システム制御部２１１に含むものとする。
【００２６】
計時部２１５は、リアルタイムクロック（ＲＴＣ）とバックアップ電池を備え、日時をカウントしており、システム制御部２１１からの要求に応じて、日時情報を返信する。ビデオ制御部２１６は、表示部１（液晶表示パネル）２２３、表示部２（ＥＶＦ）２２４への表示制御、アナログライン入出力部２２５の入出力制御、デジタルデータＩ／Ｆ部２２６への出力制御および、ＤＶＤ記録／再生部２２１の制御等を行う。
【００２７】
ビデオ制御用の汎用記憶部２１７は、ビデオベースバンド信号関連の信号処理用のフレームメモリ、ワークメモリ等に使用する。ＭＰＥＧ（Moving Picture Experts Group）コーデック部２１８は、動画像の符号化／複合化処理を行う。ＪＰＥＧ（Joint Photographic Experts Group）コーデック部２１９は、静止画像の符号化／複合化処理を行う。
【００２８】
コーデック用汎用記憶部２２０は、ＭＰＥＧコーデック部２１８およびＪＰＥＧコーデック部２１９の符号化／複合化の際に必要な作業用メモリである。ＤＶＤ記録／再生部２２１は、ビデオ制御部２１６とＭＰＥＧコーデック部２１８またはＪＰＥＧコーデック部２１９により符号化処理され、記録フォーマットとして処理された記録データを、ＤＶＤ−ＲやＤＶＤ−ＲＷに記録または再生する。ここでは、不図示の、光ピックアップや各種駆動アクチュエータ、各種モータ等を含んでいる。
【００２９】
記録媒体２２２は、例えば、一度だけ記録可能なＤＶＤ−Ｒや書き換え可能型のＤＶＤ−ＲＷなどの光ディスクであって、ＤＶＤ記録／再生部２２１により、動画像データや静止画像データ等の書き込み及び読み出しを行う。なお、記録媒体２２２は、ＢＤ−Ｒ、ＢＤ−ＲＷ、ＳＤカード、フラッシュメモリ等であってもよい。
【００３０】
表示部１（２２３）は液晶表示パネルであり、ＤＶＤ記録／再生部２２１で記録する際には撮像系からの入力画像を表示し、撮影者からの操作受付に応じてゼブラパターン表示なども合わせて表示される。再生する際には、記録媒体２２２に記録されている画像を表示する。また、入力操作部２１３からのユーザーによる入力操作情報や、外部記録媒体２１４内の任意の画像情報などを表示することも可能である。
【００３１】
表示部２（２２４）は、表示部１（２２３）と同様、ＥＶＦ（Electrical View Finder）である。ＤＶＤ記録／再生部２２１で記録する際には、撮像系からの入力画像を表示し、撮影者からの操作受付に応じてゼブラパターン表示なども合わせて表示される。再生する際には、ＤＶＤに記録されている画像を表示する。また、表示部１（２２３）と同様に、入力操作部２１３からのユーザーによる入力操作情報や、外部記録媒体内の任意の画像情報などを表示する。
【００３２】
アナログライン入出力部２２５は、アナログコンポーネント映像の出力や、Ｓ端子入出力、コンポジット映像入出力などのインタフェース群である。出力の場合には外部ＴＶモニタ等に接続して、本ＤＶＤデジタルビデオカメラからの映像出力をＴＶ画面に表示し、入力の場合には外部映像機器からの入力を受ける。
【００３３】
デジタルデータＩ／Ｆ部２２６は、ＵＳＢ（Universal Serial Bus）Ｉ／ＦやＩＥＥＥ１３９４  Ｉ／Ｆ、ＨＤＭＩ（High-Definition Multimedia Interface）などである。
【００３４】
上記システム構成のデジタルビデオカメラにおいて、表示部１（２２３）（または表示部２（２２４））に表示された被写体（人物）とＯＳＤ（On Screen Display）表示、ゼブラ表示の模式的なイメージを図１に示す通りである。
【００３５】
図１において、表示画面１０１は、表示部１（２２３）（または表示部２、２２４）に表示された画面全体を示す。主要被写体１０２は、撮影対象の被写体であって、ここでは人物を例として考えている。ＯＳＤ（On Screen Display）表示１０３は、ここでは撮影中を表す「ＲＥＣ」が重畳表示されている様子を表している。
【００３６】
ゼブラパターン表示１０４は、表示画面１０１内で主要被写体１０２の人物の顔の部分に重畳表示されている。
【００３７】
図１においてゼブラパターン表示１０４は、従来のように白黒の無彩色表示されるのではなく、予め設定された任意の有彩色で表示される。これにより、例えば人物の顔の肌色部分にゼブラパターンがかかって表示されるかどうかを目安に適正な露出値となるように調整するなどの際にも、より視認性を重視するために、肌色に対して青などの目立つ色でゼブラ表示を行うことができる。また逆に、ゼブラ表示を肌色に近い色に設定することで撮影映像を見た時の違和感を軽減したりすることが可能となる。
【００３８】
ゼブラパターンの表示色の設定は、例えば図３に示すような設定画面を用いて事前に行うことができる。図３において、設定画面３００は、表示部１（２２３）（または表示部２（２２４））に表示される設定画面全体を示す。色設定部３０１は、ゼブラパターンの色を設定するための設定領域であって、ボタン３０１ｂを入力操作部２１３を用いた操作に応じて、色表示領域３０１ａに設定色を表示させることができる。３０１ａに希望する色が表示された状態で、決定ボタン３０３を選択すると、色表示領域３０１ａに表示された色をゼブラパターンの色として設定することができる。
【００３９】
また、設定画面３００には、撮影映像カラー設定を行うための設定領域３０２があり、カラー（有彩色）３０２ａと白黒（無彩色）３０２ｂとのいずれかを選択することができる。もし、カラー３０２ａが選択されれば、ゼブラパターンを表示する際の撮影映像の表示は有彩色表示で行われる。また、白黒３０２ｂが選択されれば、ゼブラパターンを表示する際の撮影映像の表示は無彩色表示で行われる。撮影映像の表示を無彩色表示で行うようにすれば、ゼブラパターン表示が有彩色表示であるので、ゼブラパターン表示の視認性を更に向上させることができる。
【００４０】
なお、色の設定は図３に示すような設定画面によらなくてもよい。例えば、図１のような状態でゼブラパターン表示１０４が表示部１（２２３）等に表示されている状態で、入力操作部２１３の特定のボタンを操作することにより、表示色を切り替えることができる。例えば、表示色を赤、肌色、黄色、青、緑のように予め複数色用意し、表示順序を割り当てておく。そして、特定ボタンが操作されるたびに、該表示順序に従って色を切り替えることができる。これによれば、予め設定する必要もなく、被写体の種類に応じて、ゼブラパターンの色をいずれかの有彩色に切り替えることが可能となる。
【００４１】
なお、ゼブラパターン表示色の設定値は、システム制御部２１１によりアクセス可能なメモリ２１２に格納される。
【００４２】
次に、図４のフローチャートを参照して、本実施形態に対応する処理の一例を説明する。図４は、本実施形態に対応する画像処理装置における処理を簡略的に示したフローチャートである。図４のフローチャートに対応する処理は、メモリ２１２に格納された処理プログラムに基づき、システム制御部２１１が画像処理装置を制御することにより実現される。
【００４３】
ステップＳ４０１では、システム制御部２１１はカメラ信号処理部２０６より撮影画像を取得し、続くステップＳ４０２では、メモリ２１２から輝度レベル閾値Ｔｈを取得する。この輝度レベル閾値は、例えば７０ＩＲＥ等のように設定されている。続くステップＳ４０３では、ステップＳ４０１で取得した撮影画像について、輝度レベルＢｌを算出する。輝度レベルＢｌの算出は、画素単位、或いは、所定のブロック単位に行うことができる。
【００４４】
続くステップＳ４０４では、算出した輝度レベルＢｌと閾値Ｔｈとを比較判定する。判定結果において、閾値Ｔｈ以上の輝度レベルが存在する場合には（ステップＳ４０４において「ＹＥＳ」）、ステップＳ４０５に移行する。なお、この比較処理は、撮影画像内で輝度レベルＢｌを算出した画素、或いはブロック単位に行う。また、比較処理の際に、輝度レベルＢｌが閾値Ｔｈ以上の部位の撮影画像における位置情報を算出しておく。一方、閾値Ｔｈ以上の輝度レベルが存在しない場合には（ステップＳ４０４において「ＮＯ」）、ステップＳ４０１に戻って処理を繰り返す。
【００４５】
次に、ステップＳ４０５では、メモリ２１２からゼブラパターンの表示色の設定値を取得する。続くステップＳ４０６では、輝度レベルＢｌが閾値以上の部位の位置情報と、ゼブラパターンの表示色をビデオ制御部に送信する。ビデオ制御部は、システム制御部２１１から取得した情報に基づいて、表示部１（２２３）及び表示部２（２２４）において、撮影画像にゼブラパターンを重畳表示させる。
【００４６】
続くステップＳ４０７では、表示色の切替指示を入力操作部２１３を介して受け付けたか否かを判定する。もし、切替指示を受け付けた場合には（ステップＳ４０７において「ＹＥＳ」）、ステップＳ４０８に移行する。一方、切替指示を受け付けない場合には（ステップＳ４０７において「ＮＯ」）、ステップＳ４０１に戻る。ステップＳ４０８では、メモリ２１２に格納されているゼブラパターンの表示色の設定値を、切替により新たに設定された表示色に対応する値に更新し、ステップＳ４０１に戻る。
【００４７】
以上のように、本実施形態によれば、従来は白黒表示されていたゼブラパターンを、有彩色表示することができる。これにより、ゼブラパターンの視認性を向上させることが可能となる。
［第２の実施形態］
次に、発明の第２の実施形態を説明する。上記の第１の実施形態はゼブラパターンの表示色を選択可能とした点を特徴とした。これに対し本実施形態は、ゼブラパターンの表示条件となる輝度レベルの設定閾値や、ゼブラパターン表示を行う輝度レベルの設定範囲などに応じて、ゼブラパターン表示の表示色を変化させる点に特徴を有する。なお、本実施形態のＤＶＤデジタルビデオカメラの構成は、図２に示したものと同様であるので、詳細な説明は省略する。
【００４８】
本実施形態では、図５に示すように、輝度レベルの閾値毎に異なる表示色によりゼブラパターンの表示を行うことができる。図５では、ゼブラパターン表示を行う輝度レベルの閾値を７０ＩＲＥ、８０ＩＲＥ、９０ＩＲＥ、１００ＩＲＥの４段階に設定している。そして撮影映像信号の輝度レベルが各閾値を超えた部分に対して、対応する色においてゼブラ信号を重畳表示する。
【００４９】
図５では、７０ＩＲＥ以上の場合に、ゼブラパターンは青色で表示される。また、８０ＩＲＥ以上の場合に、ゼブラパターンは緑色で表示される。さらに、９０ＩＲＥ以上の場合にゼブラパターンは黄色で表示される。さらに、１００ＩＲＥ以上の場合にゼブラパターンは赤色で表示される。なお、各閾値と関連づけるゼブラパターンの表示色は任意に設定可能であり、上記の４色に限定されるものではないし、各閾値との組合せも限定されるものではない。
【００５０】
例えば、図６に示すような設定画面を用いて、各閾値と関連づける表示色を設定することができる。図６において、画面６００は、表示部１（２２３）（または表示部２（２２４））に表示される設定画面全体を示す。色設定部６０１から６０４は、各閾値に対応するゼブラパターンの表示色を設定するための設定領域である。例えば、閾値７０ＩＲＥの場合、ボタン６０１ｂを入力操作部２１３を用いて操作して、色表示領域６０１ａに設定色を表示させることができる。８０ＩＲＥから１００ＩＲＥまでの他の閾値についても同様に設定することができる。４つの閾値について所望の表示色の設定が完了した後に決定ボタン６０５が選択されると、各色表示領域に表示された色が対応する閾値のゼブラパターンの色として設定することができる。
【００５１】
なお、図６では閾値の値は固定としたが、閾値の値を設定可能とすることもできる。また、４つの閾値全てについて表示色を設定する必要はなく、特定の閾値のみに色を設定しても良い。その場合には、色表示領域の設定色を“なし”とすればよい。
【００５２】
図６のテーブルを用いた本実施形態に対応する処理は、図４のフローチャートと同様に行うことができる。但し、表示色を決定するためにステップＳ４０４における判定処理は、図７に示すように複数の閾値を用いて行う必要がある。また、図４のステップＳ４０７及びＳ４０８における処理は省略することができる。以下、図７を参照して本実施形態に対応する表示色の決定処理を説明する。図７のフローチャートに対応する処理は、図４と同様、メモリ２１２に格納された処理プログラムに基づき、システム制御部２１１が画像処理装置を制御することにより実現される。
【００５３】
まず、ステップＳ７０１では、算出された輝度レベルＢｌを第１の閾値１００ＩＲＥと比較する。もし、輝度レベルＢｌが１００ＩＲＥ以上の場合には（ステップＳ７０１において「ＹＥＳ」）、ステップＳ７０２に移行する。ステップＳ７０２では、該当する部位の表示色を赤色に決定する。
【００５４】
一方、輝度レベルが１００ＩＲＥ以上でない場合には（ステップＳ７０１において「ＮＯ」）、ステップＳ７０３に移行する。ステップＳ７０３では、算出された輝度レベルＢｌを第２の閾値９０ＩＲＥと比較する。もし、輝度レベルＢｌが９０ＩＲＥ以上の場合には（ステップＳ７０３において「ＹＥＳ」）、ステップＳ７０４に移行する。ステップＳ７０４では、該当する部位の表示色を黄色に決定する。
【００５５】
一方、輝度レベルが９０ＩＲＥ以上でない場合には（ステップＳ７０３において「ＮＯ」）、ステップＳ７０５に移行する。ステップＳ７０５では、算出された輝度レベルＢｌを第３の閾値８０ＩＲＥと比較する。もし、輝度レベルＢｌが８０ＩＲＥ以上の場合には（ステップＳ７０５において「ＹＥＳ」）、ステップＳ７０６に移行する。ステップＳ７０６では、該当する部位の表示色を緑色に決定する。
【００５６】
一方、輝度レベルが８０ＩＲＥ以上でない場合には（ステップＳ７０５において「ＮＯ」）、ステップＳ７０７に移行する。ステップＳ７０７では、算出された輝度レベルＢｌを第４の閾値７０ＩＲＥと比較する。もし、輝度レベルＢｌが７０ＩＲＥ以上の場合には（ステップＳ７０７において「ＹＥＳ」）、ステップＳ７０８に移行する。ステップＳ７０８では、該当する部位の表示色を青色に決定する。一方、輝度レベルが７０ＩＲＥ以上でない場合には（ステップＳ７０７において「ＮＯ」）、ステップＳ４０１に戻る。
【００５７】
以上の処理は、撮影画像内で輝度レベルを算出した画素、或いはブロック単位に行う。
【００５８】
以上によれば、ゼブラパターン表示の視認性の改善だけでなく、撮影者は、撮影中にゼブラパターン表示の設定閾値をメニュー表示等で再確認することなく、ゼブラパターンの表示色により、現在の設定閾値を認識することができる。
【００５９】
本実施形態ではまた、図８に示すように、輝度レベルの範囲（大きさ）に応じた表示色によりゼブラパターンの表示を行うこともできる。図８では、ゼブラパターン表示を行う輝度レベルの範囲を７０±５ＩＲＥ、８０±５ＩＲＥ、９０±５ＩＲＥ、１００±５ＩＲＥとした場合を示している。そして、撮影映像信号の輝度レベルが各設定値範囲内に属する部分に対して、対応する色においてゼブラ信号を重畳表示する。
【００６０】
図８では、「ゼブラ色パターン１」については、７０±５ＩＲＥの範囲に属する場合に、ゼブラパターンは青色で表示される。また、８０±５ＩＲＥの範囲に属する場合に、ゼブラパターンは緑色で表示される。さらに、９０±５ＩＲＥの範囲に属する場合に、ゼブラパターンは黄色で表示される。さらに、１００±５ＩＲＥの範囲に属する場合に、ゼブラパターンは赤色で表示される。なお、各設定範囲と関連づけるゼブラパターンの表示色は任意に設定可能であり、上記の４色に限定されるものではないし、各設定範囲との組合せも限定されるものではない。
【００６１】
また、図８では、「ゼブラ色パターン２」において、各範囲に対し、割り当てる色の色相を異ならせるのではなく、同一色相で、色の濃度（明度或いは彩度）を変えるように設定した例を示している。このような色の設定パターンによれば、色の濃度に応じて、どの部位がどの程度の輝度レベルを有するのかが把握できる。
【００６２】
撮影者はパターン１とパターン２とのいずれかを予め選択しておくことができ、選択されたゼブラパターンにおいて表示が行われる。
【００６３】
このように、図８の設定内容によれば、図５の場合と同様、ゼブラパターン表示の視認性が改善される。また、撮影者は、撮影中にゼブラパターン表示の設定範囲をメニュー表示等で再確認することなく、ゼブラパターンの表示色により、現在の設定範囲を認識することができる。
【００６４】
図８に対応する処理も、図４及び図７のフローチャートと同様にして実行することができる。図８の場合には、ステップＳ７０１、Ｓ７０３、Ｓ７０５及びＳ７０７における輝度レベルＢｌとの比較対象が異なる。即ち、輝度レベルが、１００±５ＩＲＥ、９０±５ＩＲＥ、８０±５ＩＲＥ、７０±５ＩＲＥのいずれの範囲に属するかが判定されることとなる。また、図８の「ゼブラ色パターン２」が選択された場合に、図４のステップＳ４０７及びＳ４０８において、濃度を変化させる色の系統を切り替えることができる。例えば、青の濃淡により輝度レベルの範囲を表示していた場合に、切替により赤の濃淡により輝度レベルの範囲を表示するように、表示形態を切り替えることができる。
【００６５】
以上、２つの実施形態をあげて、本発明の内容を説明した。当該発明は、デジタルカメラやカムコーダーにおいて、任意の映像信号、ここでは撮像映像の露出（絞り）の目安とする輝度レベルに対応して表示するゼブラパターン表示において、ゼブラパターン表示の表示色を制御する点を特徴とする。本発明では、ゼブラパターンの視認性の向上や、露出調整の操作性を向上させることが期待できる。
【００６６】
なお、本実施形態では、ゼブラパターンを発生させて所望の撮影映像部分に重畳表示する構成を説明しているが、重畳する信号はゼブラパターンに限定されず、任意の表示パターンであっても構わない。
【００６７】
更に、発明の実施形態は特にＤＶＤデジタルビデオカメラに限定されるものではなく、適用の範囲は広く、動画撮影、静止画撮影などにも制限されることなく、ビデオカメラ、デジタルカメラを始めとした映像装置全般に対して応用可能である。
［その他の実施形態］
本発明の目的は、前述した機能を実現するコンピュータプログラムのコードを記録した記憶媒体を、システムに供給し、そのシステムがコンピュータプログラムのコードを読み出し実行することによっても達成される。この場合、記憶媒体から読み出されたコンピュータプログラムのコード自体が前述した実施形態の機能を実現し、そのコンピュータプログラムのコードを記憶した記憶媒体は本発明を構成する。また、そのプログラムのコードの指示に基づき、コンピュータ上で稼働しているオペレーティングシステム（ＯＳ）などが実際の処理の一部または全部を行い、その処理によって前述した機能が実現される場合も含まれる。
【００６８】
さらに、以下の形態で実現しても構わない。すなわち、記憶媒体から読み出されたコンピュータプログラムコードを、コンピュータに挿入された機能拡張カードやコンピュータに接続された機能拡張ユニットに備わるメモリに書込む。そして、そのコンピュータプログラムのコードの指示に基づき、その機能拡張カードや機能拡張ユニットに備わるＣＰＵなどが実際の処理の一部または全部を行って、前述した機能が実現される場合も含まれる。
【００６９】
本発明を上記記憶媒体に適用する場合、その記憶媒体には、先に説明したフローチャートに対応するコンピュータプログラムのコードが格納されることになる。
【図面の簡単な説明】
【００７０】
【図１】発明の実施形態に対応する、表示部におけるゼブラパターンの表示例を示す図である。
【図２】発明の実施形態に対応する、画像処理装置の構成の一例を示すブロック図である。
【図３】発明の第１の実施形態に対応する、ゼブラパターンの表示色の設定画面の一例を示す図である。
【図４】発明の第１の実施形態に対応する処理のフローチャートである。
【図５】発明の第２の実施形態に対応する、輝度レベル閾値とゼブラパターンの表示色との対応の一例を示す図である。
【図６】発明の第２の実施形態に対応する、ゼブラパターンの表示色の設定画面の一例を示す図である。
【図７】発明の第２の実施形態に対応する、表示色の決定処理のフローチャートである。
【図８】発明の第２の実施形態に対応する、輝度レベル閾値とゼブラパターンの表示色との対応の他の一例を示す図である。
【符号の説明】
【００７１】
２０１  レンズ部
２０２  撮像素子
２０３  撮像素子駆動部
２０４  ＣＤＳ／ＡＧＣ部
２０５  Ａ／Ｄ変換器
２０６  カメラ信号処理部
２０７  カメラ信号処理用汎用記憶部
２０８  レンズ駆動部
２０９  ストロボ
２１０  マイク
２１１  システム制御部
２１２  システム制御用汎用記憶部
２１３  入力操作部
２１４  外部記録媒体
２１５  計時部
２１６  ビデオ制御部
２１７  ビデオ制御用汎用記憶部
２１８  ＭＰＥＧコーデック部
２１９  ＪＰＥＧコーデック部
２２０  コーデック用汎用記憶部
２２１  ＤＶＤ記録／再生部
２２２  記録媒体
２２３  表示部１  液晶表示パネル
２２４  表示部２  ＥＶＦ
２２５  アナログライン入出力部
２２６  デジタルデータＩ／Ｆ部
【図１】
2009130464.tif 000003
【図２】
2009130464.tif 000004
【図３】
2009130464.tif 000005
【図４】
2009130464.tif 000006
【図５】
2009130464.tif 000007
【図６】
2009130464.tif 000008
【図７】
2009130464.tif 000009
【図８】
2009130464.tif 000010